(57)【要約】      （修正有）【課題】災害時緊急に逃げなければならない時、バランス良く安全におぶうことができ、又、マンション等で緊急に子供だけ先に地上に降ろしたい時、手軽で安全に降ろすことのできる緊急脱出兼用おんぶ袋を提供する。【解決手段】おんぶ袋をリュック型とし、リュックの袋に足が出る部分を形成する。紐３をリュックの底に通し、当て布２で補強し、紐の端を背負う者の前に回す。リュック袋の上部、いわゆる子供の背中に当たる部分に紐５をもう１本縫いつけ従来のおぶい紐の役割を果たすようにする。リュック袋の上部４ヶ所にループ６，７を形成し、緊急時に該ループにロープを取り付けられるようにする。【選択図】図２
2006087874.tif 000002
【特許請求の範囲】
【請求項１】
子供を背負うとき、誰でも安全にかつ簡単に出来るようにリュックの袋に足の出る部分を作り、子供が袋の中にすっぽり入れる様にした。
【請求項２】
その袋が子供の重みで落ちないようにする為にリュックの紐を袋の下つまり、子供のおしりに当たる部分に通し、その上から当て布を付けてより丈夫にした。リュックの紐は長さを調節する為、前で結ぶ様にした。又、この紐はマンション等で緊急に子供だけを地面に下ろさなければいけない時、この紐にロープを繋げば脱出用にも使える。
【請求項３】
リュックの袋の上部、いわゆる子供の背中に当たる部分に、紐をもう１本縫い付け従来のおぶいひもの役割を果たす様にした。親の肩から前に来た紐をクロスし結ぶ事により、子供が袋から飛び出すのを防ぐ事が出来る。又、緊急時にマンション等、高い所から子供を降ろす時には、この紐でしっかりとリュックの中の子供を結び付け安全に地上に降ろせる。
【請求項４】
リュックの袋の上部４ケ所に丈夫なループを取り付けた。これに依り子供だけを地面に降ろさなければならない緊急の時、そのループにロープを取り付け地面に降ろす事ができる。
【請求項５】
４ケ所にフックを付けたロープがあれば、このリュックの上部のループと結合する事に依り、より早く安全に子供を災害から守る事が出来る。
【発明の詳細な説明】
【技術分野】
【０００１】本発明は、リュック型の袋の下部分２ケ所をくりぬき、子供をその袋に入れリュックの様に背負うため誰でも１人で簡単、安全に子供をおぶう事が出来る。【０００２】リュック型の袋に入れた子供の重さに耐える様に、リュックの紐は袋の下を通り、なおかつ力布を取り付けた。又、リュックの紐は、子供の大小に依り前で結ぶ事で長さを調節出来るようにした。【０００３】子供が親から離れない様にする為にもう１本おぶい紐を追加した。【０００４】袋の上部４ケ所に丈夫なループを取り付ける事に依り、マンション等で緊急の時そのループにロープをつけ地面に子供を降ろす事が出来る。【０００５】袋の上部４ケ所に取り付け易くするため、ロープにフック４ケを取り付けた。［技術背景］【０００６】現在子育ては、だっこが主流である。要因として１人では、なかなか子供をおぶったり降ろしたり手軽に出来ない。それに見栄えは悪いし時代遅れの様な気がする。【０００７】しかし、ひとたび災害に襲われ子供と共に逃げなければいけない時人々に押され転んだ時、前に子供を抱いていれば子供から先にケガをしやすい。又、おんぶであれば、前に何もなく両手があけば荷物も持ち易く安定している。【０００８】今、マンションに住んで快適な生活をしている人々も、ひとたび火災、地震等によりどうしても子供だけ先に助けなければならない時、地上に降ろす手軽なものがない。【０００９】短時間のだっこと、乳母車の生活のために、子供と親の肌のふれあいが少ないため、いろいろな問題が指摘されている。［発明の開示］［発明が解決しようとする課題］【００１０】従来のおぶい紐は、１人ではおぶったり、降ろしたりし難い。そしてデザインも、今の若いひとに好まれるものがない。又、マンション等で災害に会いどうしても子供だけ助け出したい時、子供だけ地上に降ろせる物は、ほとんどの家庭に備えがない。普段、おんぶ袋として使っているものが、災害時にも役立つ緊急脱出袋があれば非常に安心である。［課題を解決するための手段］【００１１】現在、子育てで、おんぶする事が１人ではなかなか安全に出来ない。そのため本発明はそれを解決するため、リュック型の袋を足が出る様に改良し、そこに子供をスッポリ入れ、１人でも簡単、安全に負ぶえる様にした。【００１２】又、リュックの紐は、子供の重さに耐える様に袋の底部に紐を渡し、その上に、力布を縫い付けた。さらに紐も前で結ぶ事に依り長さを調節出来る様にした。【００１３】子供が袋から飛び出さない様に、従来のおんぶ紐もリュックに取り付けた。【００１４】いつでも手軽に、旅行等にも持ち運びが出来、災害にも耐える様に素材を、燃えにくく丈夫で軽く、色柄等を考え使いやすくすれば、どこでも子供と親の肌の触れ合いも出来、とても便利である。［発明の効果］【００１５】おぶい紐をリュック型にする事に依り、子供を安全、簡単に１人でも背負う事が出来る。【００１６】リュックの紐は、子供の重さに耐えるように袋の底に紐を通し、その上に力布を縫い付け、二重、三重に重さに対しての安全性を高めた。緊急の災害時、マンションから子供を地面に降ろす必要に迫られた時、この紐は脱出用ロープと繋ぐ役割も果たす。又、この紐は子供の成長に合わせ、長さを調節するため前で結ぶ様にした。【００１７】従来のおんぶ紐の役割を果たす紐を、リュックの上部中心に取付けた。その事に依り、子供が袋から飛び出さないためと安全性を高めた。又、マンション等で災害の緊急時にリュックの中の子供をこの紐で何重にも結ぶ事に依り、リュックから子供が飛び出さず安全に子供を地面に降ろし災害から脱出させる事が出来る。【００１８】素材を燃えにくく、軽く丈夫で色、柄もセンス良くすれば、日常でも旅行でも災害時にも手軽に利用出来る。【００１９】このおんぶ袋により、負ぶいながら家事などが出来、肌と肌のふれあいが自然に出来る。［発明を実施するための最良の形態］【００２０】おんぶ紐にリュック型の袋を付ける事に依り誰でも簡単に子供をおぶう事が出来る［実施例１］【００２１】図１はリュック型背負い袋１を分解した図である。リュックの紐３、４は２の当て布でより丈夫にしてある。１２は３の交差する紐がバラバラにならないためのものである。３の紐は、６、７のループを通り、前で４の紐と結ぶ様に成っている。【００２２】５のおぶい紐は、１１で縫い付け９のループを通り、前で交差し８のループを通して前で結ぶ。袋の口を調節するため１０のゴムが付いている。［実施例２］【００２３】図３は前から見た図で、後ろから来た３の紐と下から来た４の紐を１３で結ぶ。後ろから来た５の紐は、９のループを通り、前でクロスさせて８のループを通り１４で結んだ図である。［実施例３］【００２４】図６はリュックのおんぶ袋を脱出用にしたものである。３と４の紐をしっかり結び、１７のロープを１６で結び付けつり下げる。その際５の紐を、１の袋と子供とを何重にもグルグルと重ねて巻き１５で結び、子供が飛び出さない様にする。［実施例４］【００２５】図７は１７のロープに４本のロープ１８とフック１９を取付けた図である。
【図面の簡単な説明】
【００２６】
【図１】リュック型おんぶ袋を分解した図である。
【図２】おんぶ袋を後ろから見た図である。
【図３】おんぶ袋を前から見た図である。
【図４】実際に子供を背負い、前から見た図である。
【図５】実際に子供を背負い、後ろから見た図である。
【図６】緊急非難用のロープにおんぶ袋を結び付けた図である。
【図７】フックを取付けたロープの様子を示した図である。
【符号の説明】
【００２７】  １  袋  ２  当て布  ３  紐  ４  紐  ５  紐  ６  ループ  ７  ループ  ８  ループ  ９  ループ１０  ゴムベルト１１  縫い目１２  輪１３  結び目１４  結び目１５  結び目１６  結び目１７  ロープ１８  ロープ１９  フック
【図１】
2006087874.tif 000003
【図２】
2006087874.tif 000004
【図３】
2006087874.tif 000005
【図４】
2006087874.tif 000006
【図５】
2006087874.tif 000007
【図６】
2006087874.tif 000008
【図７】
2006087874.tif 000009